(57)【要約】      （修正有）【課題】ゴルフマーカを容易に離脱させることができ、また、確実な保持により落下、紛失等を防止することができるマーカ保持具を提供する。【解決手段】ゴルフマーカ保持具１は、脚部Ｍｂを有するゴルフマーカを保持するゴルフマーカ保持具１であって、上記脚部Ｍｂを保持可能な保持孔３を中央に有する板状の弾性片２を備え、上記弾性片２が、外縁から上記保持孔３まで連通する連通溝４を有する。上記弾性片２が、上記保持孔３から外縁に向けて形成された複数のスリットを有するのが好ましい。上記連通溝４及び複数のスリットが、上記保持孔３から放射状に配されているのが好ましい。当該ゴルフマーカ保持具１が、ゴルファーが着用する着用物に備えられるのが好ましい。【選択図】図３
2018076609.tif 000002
【特許請求の範囲】
【請求項１】
脚部を有するゴルフマーカを保持するゴルフマーカ保持具であって、
上記脚部を保持可能な保持孔を中央に有する板状の弾性片を備え、
上記弾性片が、外縁から上記保持孔まで連通する連通溝を有するゴルフマーカ保持具。
【請求項２】
上記弾性片が、上記保持孔から外縁に向けて形成された複数のスリットを有する請求項１に記載のゴルフマーカ保持具。
【請求項３】
上記連通溝及び複数のスリットが、上記保持孔から放射状に配されている請求項１又は請求項２に記載のゴルフマーカ保持具。
【請求項４】
ゴルファーが着用する着用物であって、
請求項１、請求項２又は請求項３に記載のゴルフマーカ保持具を備える着用物。
【発明の詳細な説明】
【技術分野】
【０００１】
本発明は、ゴルフマーカ保持具に関する。
【背景技術】
【０００２】
ゴルフ競技において、グリーン上に停止した自己のボールが、他人の競技の妨げとならないようグリーン上から離脱させ、その自己のボールの停止位置を認識するために、ゴルフマーカが用いられる。
【０００３】
ゴルフマーカとしては、円盤状の天板と、その下面から垂直に伸びる円錐状の脚部とから形成される樹脂製ゴルフマーカが知られている。この樹脂製ゴルフマーカを使用する際には、グリーン上の自己のボールを拾い上げ、その位置に樹脂製ゴルフマーカの脚部をグリーンに差し込むことで、当該ボールの停止位置を認識することができる。
【０００４】
この樹脂製ゴルフマーカには脚部があるため、携帯するときにポケットに収納するのが煩わしい。また、ポケットに収納した場合、競技者がポケット内の他の物を取り出す際に、ゴルフマーカがポケットから落下し、紛失することがある。このため、ゴルフマーカを係止する孔を設けた帽子（特許文献１）が知られている。これらは、樹脂製ゴルフマーカの脚部を係止孔に差し込むことでゴルフマーカを係止する。
【先行技術文献】
【特許文献】
【０００５】
【特許文献１】特開２０１０−１３３０７２号公報
【発明の概要】
【発明が解決しようとする課題】
【０００６】
特許文献１に記載の帽子は、鍔部にゴルフマーカの係止孔が設けられており、当該帽子に係止したゴルフマーカを取り外す際、ゴルフマーカの天板部分を把持して引き抜くため、指先や爪が天板の角にうまく掛からず、取り外しが容易でない。
【０００７】
上記不都合に鑑みて、本願発明は、ゴルフマーカを容易に離脱させることができ、また、確実な保持により落下、紛失等を防止することができるマーカ保持具を提供することを課題とする。
【課題を解決するための手段】
【０００８】
上記課題を解決する本発明は、脚部を有するゴルフマーカを保持するゴルフマーカ保持具であって、上記脚部を保持可能な保持孔を中央に有する板状の弾性片を備え、上記弾性片が、外縁から上記保持孔まで連通する連通溝を有する。
【０００９】
当該ゴルフマーカ保持具は、連通溝を有するので、上記連通溝に沿って保持孔から外縁へゴルフマーカ脚部を挿通させて、ゴルフマーカをゴルフマーカ保持具から離脱させることができる。つまり、ゴルフマーカの天板を把持するのではなく、ゴルフマーカの天板と脚部の先端を挟持して、ゴルフマーカ保持具と平行にスライドさせることで、容易にゴルフマーカをゴルフマーカ保持具から離脱させることができる。また、ゴルフマーカが保持される状態では、上記弾性片の保持孔が上記脚部を係止するため、確実にゴルフマーカを保持することができる。
【００１０】
弾性片が、上記保持孔から外縁に向けて形成された複数のスリットを有するのが好ましい。上記保持孔が複数のスリットを有することで、上記保持孔がゴルフマーカの脚部を係止する力を分散することができ、安定してゴルフマーカを保持することができる。
【００１１】
上記連通溝及び複数のスリットが、上記保持孔から放射状に配されているのが好ましい。上記連通溝及び複数のスリットが、上記保持孔から放射状に配されることで、ゴルフマーカの脚部に対して係止する力が均等にかかり、より安定してゴルフマーカを保持することができる。
【００１２】
当該ゴルフマーカ保持具が、ゴルファーが着用する着用物に備えられるのが好ましい。当該ゴルフマーカ保持具が、ゴルファーが着用する着用物に備えられることで、ゴルフマーカの使用、携帯を、容易かつ迅速にすることができる。
【発明の効果】
【００１３】
以上のように、本発明のゴルフマーカ保持具は、ゴルフマーカの離脱が容易で、かつ確実な保持をすることができる。
【図面の簡単な説明】
【００１４】
【図１】ゴルフマーカの概略的斜視図である。
【図２】本発明の一実施形態であるゴルフマーカ保持具を備える帽子の概略的斜視図である。
【図３】図２の帽子の鍔部に備えられたゴルフマーカ保持具の模式的平面図である。
【図４】図２の帽子の鍔部に備えられたスリットを有するゴルフマーカ保持具の模式的平面図である。
【図５】図２の帽子の鍔部に備えられたゴルフマーカ保持具からゴルフマーカを離脱させる状態を示す模式的平面図である。
【図６】本発明の一実施形態であるゴルフマーカ保持具を備えるクリップの概略的斜視図である。
【図７】図６のゴルフマーカ保持具を備えるクリップの模式的平面図である。
【図８】図６のゴルフマーカ保持具を備えるクリップにゴルフマーカが保持された状態を示す模式的平面図である。
【図９】図６のゴルフマーカ保持具を備えるクリップにゴルフマーカを離脱させる状態を示す模式的平面図である。
【発明を実施するための形態】
【００１５】
以下、適宜図面を参照しつつ、本発明の実施の形態を詳説する。
【００１６】
［ゴルフマーカ］
図１は、脚部を有するゴルフマーカＭの概略的斜視図である。ゴルフマーカＭは、天板Ｍａと、天板Ｍａの一面の中心に接合する脚部Ｍｂを有する。脚部Ｍｂは略円錐状であり、天板Ｍａとの接合部分（根元部分）の直径は、３〜４ｍｍであるものが多い。
【００１７】
［第一実施形態］
＜帽子＞
ゴルフマーカ保持具は、ゴルファーが着用する着用物に備えられるのが好ましい。本発明の一実施形態では着用物として、図２に示すように、帽体７及び鍔部８を含む帽子６について説明する。鍔部８は、合成樹脂等、又は当該合成樹脂等を芯材として布帛、合成皮革等を貼り合わせて形成されたもの等、公知のものが使用される。
【００１８】
（ゴルフマーカ保持具）
ゴルフマーカ保持具１は、図３に示すように、ゴルフマーカＭの脚部Ｍｂを係止可能な保持孔３を中央に有する板状の弾性片２を備え、弾性片２が、外縁から保持孔３まで連通する連通溝４を有する。板状の弾性片２の材質としては、弾性を有する物であれば特に限定されず、合成ゴム等の公知のものが使用される。ゴルフマーカＭの脚部Ｍｂは、連通溝４に沿って保持孔３まで挿通され、保持孔３が脚部Ｍｂを係止することで、ゴルフマーカ保持具１がゴルフマーカＭを保持する。
【００１９】
鍔部８の外縁近傍には、少なくとも１つのゴルフマーカ保持具１が備えられる。図２では、例として鍔部８の左側（図２で右側）の帽体７近傍に、ゴルフマーカ保持具１が備えられている。
【００２０】
鍔部８は、図２〜４に示すように、外縁に向け開口部を有する長孔９を備える。長孔９の長さ（奥行き）としては、特に限定されないが、５ｍｍ以上が好ましい。上記下限を満たさないと、ゴルフマーカＭの脚部Ｍｂを係止することが困難になるおそれがある。また、長孔９の幅は、特に限定されないが、５ｍｍ以上が好ましい。上記下限を満たさないと、ゴルフマーカＭの脚部Ｍｂを長孔９に挿通することが困難になるおそれがある。長孔９の開口部は、直線又は曲線の面取りがされるとよい。開口部が面取りされることで、脚部Ｍｂを外縁から保持孔３に向けて長孔９に挿通させる際に、当該面取りがガイドの役割をして、容易に脚部Ｍｂを長孔９に挿通させることができる。
【００２１】
鍔部８の一面、図２では鍔部８の裏面（下面）で、長孔９を覆うように板状の弾性片２が備えられる。弾性片２は、図３〜４で示すように、ゴルフマーカＭの脚部Ｍｂを係止可能な保持孔３と、保持孔３から鍔部８の外縁まで連通し、長孔９と平行に配される連通溝４を有する。連通溝４の外縁から保持孔３までの長さは、ゴルフマーカＭが容易に落下等するものでなければ特に限定されず、１ｍｍ以上あればよい。連通溝４は、板状の弾性片２の片面から反対面に貫通する貫通溝である。
【００２２】
保持孔３は、板状の弾性片２の片面から反対面に貫通する貫通孔である。ゴルフマーカＭは下向きに保持される、すなわち図２で天板Ｍａを上側として、脚部Ｍｂが鍔部８の裏面（図２の下側）から突き出るようにゴルフマーカＭが保持されるため、鍔部８の厚みを考慮して、保持孔３の直径は、脚部Ｍｂの係止される部分の直径（保持孔３と接する部分）より小さい径が好ましく、例えば２ｍｍ以上２．５ｍｍ以下とすることができる。保持孔３の直径が、脚部Ｍｂの係止される部分の直径より小さい径であることで、脚部Ｍｂを確実に係止することができる。一方、保持孔３の直径が、脚部Ｍｂの保持される部分の直径より大きい径であると、脚部Ｍｂを確実に係止することができず、ゴルフマーカＭが落下、紛失等するおそれがある。保持孔３の直径は脚部Ｍｂの係止される部分の直径より小さいため、保持孔３が脚部Ｍｂを係止する際、連通溝４が撚れる。撚れた連通溝４が元に戻ろうとする復元力（弾性力）が、保持孔３が脚部Ｍｂを係止する力、つまりゴルフマーカＭの保持力となる。
【００２３】
鍔部８のゴルフマーカ保持具１にゴルフマーカＭを保持させる方法としては、ゴルフマーカＭの脚部Ｍｂを保持孔３に挿入して保持させることができる。保持穴３の径は脚部Ｍｂの径より小さいため、連通溝４が撚れることで、その復元力（弾性力）により脚部Ｍｂが係止され、ゴルフマーカＭが保持される。また、ゴルフマーカ保持具１は連通溝４を有するので、図５に示すように、鍔部８の外縁から脚部Ｍｂを、長孔９及び連通溝４に挿通させて保持孔３に係止させることができる。連通溝４は、弾性片２に形成されているため、脚部Ｍｂが挿通されると、図５に示すように、連通溝４部分の弾性片２が撚れて脚部Ｍｂが通過することができる。脚部Ｍｂが保持孔３に到達すると、撚れた連通溝４が元の形状に戻り、保持孔３により脚部Ｍｂが係止され、ゴルフマーカＭが保持される。
【００２４】
鍔部８からゴルフマーカＭを離脱させるには、天板Ｍａを把持して、脚部Ｍｂを有する面と反対面の方向に引き抜くことで離脱させることができる。また、図５のように、天板Ｍａと脚部Ｍｂの先端とを挟持してゴルフマーカ保持具と平行にスライドさせ、脚部Ｍｂを長孔９及び連通溝４に挿通させて、鍔部８の外縁から離脱させることができる。
【００２５】
［利点］
保持孔のみからなるゴルフマーカ保持具では、ゴルフマーカＭを離脱させるため、天板Ｍａを把持してゴルフマーカＭを引き抜く必要があるが、手にグラブを嵌めていたり、気温が低く指先の感覚が鈍くなっている等の場合、指先が天板Ｍａにうまく掛からず、ゴルフマーカＭを離脱させるのが困難となるおそれがある。本願発明に係るゴルフマーカ保持具は、保持孔３及び連通溝４を有するため、例えば人差し指と親指とで天板Ｍａと脚部Ｍｂの先端とを挟持して、ゴルフマーカ保持具と平行にスライドさせることでゴルフマーカＭの離脱をさせることができる。或いは、人差し指等を天板Ｍａに掛けて、鍔部８の外縁に向けて、掻き出すように押圧することでゴルフマーカＭの離脱をさせることができる。従って、手にグラブを嵌めている場合等でも、離脱が容易にできる。また、ゴルフマーカＭの脚部Ｍｂを保持孔３に挿入して保持させる場合でも、保持孔のみからなるゴルフマーカ保持具では、目視等により保持孔３の位置を確認等する必要があるが、帽子６の鍔部８に備えられた保持孔３を目視するのは困難である。当該ゴルフマーカ保持具１は、保持孔３及び連通溝４を有するので、目視等により保持孔３の位置を確認等することなく、ゴルフマーカＭの脚部Ｍｂを鍔部８の長孔９付近に当てがい、鍔部８の内側に向けてスライドさせる、つまり保持孔３に向けて押圧することで脚部Ｍｂが、長孔９及び連通溝４に沿って保持孔３に導入されるため、ゴルフマーカＭを容易に保持させることができる。
【００２６】
鍔部８が、保持孔３から外縁に向けて形成された複数のスリット５を有するのが好ましい。図４に示すように、保持孔３に複数のスリット５が設けられることで、保持孔３が脚部Ｍｂを係止する力が分散され、ゴルフマーカＭを安定して保持することができる。
【００２７】
連通溝４及び複数のスリット５が、保持孔３から放射状に配されているのが好ましい。図４示すように、例えば２箇所のスリット５と連通溝４とが放射状に配することで、保持孔３が脚部Ｍｂを係止する際に、係止する力を脚部Ｍｂに対して均等にかけることができ、ゴルフマーカＭをより安定して保持することができる。
【００２８】
［第二実施形態］
＜ゴルフマーカ保持クリップ＞
次に、ゴルファーの着用物として、図６に示すように、ゴルフマーカ保持クリップについて説明する。本発明の一実施形態であるゴルフマーカ保持クリップ１０は、図６〜９に示すように、平坦な天面１１ｂ及びクリップ部１１ａを含むクリップ１１を有し、天面１１ｂにゴルフマーカ保持具１を備える。当該クリップ１１は、樹脂成型等の公知の方法で製造される。
【００２９】
（クリップ）
本実施形態のホルダ用クリップ１１は、図６に示すように、樹脂を平坦に成型した天面１１ｂと、湾曲させた形状で成型して、弾性力を有するクリップ部１１ａとを備える。当該クリップ部１１ａをゴルファーの腰ベルト、バッグ、グラブの袋口、帽子の鍔部等に挟持させて、ゴルフマーカ保持クリップ１０を使用する。
【００３０】
天面１１ｂは、図６，７に示すように、中心から外縁の一方向に向かい、開口部を有する長孔１１ｃを備える。長孔１１ｃの長さ（奥行き）としては、特に限定されないが、５ｍｍ以上が好ましい。上記下限を満たさないと、ゴルフマーカＭの脚部Ｍｂを係止することが困難になるおそれがある。また、長孔１１ｃ幅は、特に限定されないが、５ｍｍ以上が好ましい。上記下限を満たさないと、ゴルフマーカＭの脚部Ｍｂを長孔１１ｃに挿通することが困難になるおそれがある。長孔１１ｃの開口部は、直線又は曲線の面取りがされるとよい。開口部が面取りされることで、脚部Ｍｂを外縁から保持孔３に向けて長孔１１ｃに挿通させる際に、当該面取りがガイドの役割をして、容易に脚部Ｍｂを長孔１１ｃに挿通させることができる。また、天面１１ｂは、保持孔３に向けて傾斜を有しているのが好ましい。例えば、保持孔３と同心円で、すり鉢状の傾斜を有していれば、ゴルフマーカＭの脚部Ｍｂを保持孔３に挿入する際に、この傾斜がガイドの役割をして、容易に脚部Ｍｂを保持孔３に挿入させることができる。
【００３１】
天面１１ｂの一面、図７ではクリップ部１１ａに対向する側の面に、長孔１１ｃを覆うように板状の弾性片２が備えられる。弾性片２は、ゴルフマーカＭの脚部Ｍｂを係止する保持孔３と、保持孔３から長孔１１ｃの開口部まで連通し、長孔１１ｃと平行に配される連通溝４を有する。
【００３２】
保持孔３の直径は、脚部Ｍｂを係止するため、脚部Ｍｂの係止される部分の直径より小さい径が好ましい。脚部Ｍｂが円錐状であり、天面１１ｂの板厚を考慮すると、例えば１．８ｍｍ以上２．５ｍｍ以下とすることができる。保持孔３の直径が脚部Ｍｂの係止される部分の直径より小さい径であることで、脚部Ｍｂを確実に係止することができる。一方、保持孔３の直径が脚部Ｍｂの係止される部分の直径より大きい径であると、脚部Ｍｂを確実に係止することができず、ゴルフマーカＭが落下、紛失等するおそれがある。保持孔３の直径は脚部Ｍｂの径より小さいため、保持孔３が脚部Ｍｂを係止する際、連通溝４が撚れる。撚れた連通溝４が元に戻ろうとする復元力（弾性力）が、保持孔３が脚部Ｍｂを係止する力、つまりゴルフマーカＭの保持力となる。
【００３３】
ゴルフマーカ保持クリップ１０にゴルフマーカＭを装着する方法としては、ゴルフマーカＭの脚部Ｍｂを保持孔３に挿入して装着することができる。保持孔３の径は脚部Ｍｂの係止される部分の直径より小さいため、連通溝４が撚れることで、その弾性力により脚部Ｍｂが係止され、ゴルフマーカＭが保持される。また、ゴルフマーカ保持クリップ１０は長孔１１ｃ及び連通溝４を有するので、図９に示すように、脚部Ｍｂを長孔１１ｃ及び連通溝４に挿通させて保持孔３に係止させることができる。連通溝４は、弾性片２に形成されているため、脚部Ｍｂが挿通されると、図８のように、連通溝４部分の弾性片２が撚れて脚部Ｍｂが通過することができる。脚部Ｍｂが保持孔３に到達すると、図９のように、撚れた連通溝４が元の形状に戻り、保持孔３により脚部Ｍｂが係止され、ゴルフマーカＭが保持される。
【００３４】
ゴルフマーカ保持クリップ１０からゴルフマーカＭを離脱させるには、天板Ｍａを把持して、脚部Ｍｂを有する面と反対面の方向に引き抜くことで離脱させることができる。また、脚部Ｍｂを長孔１１ｃ及び連通溝４に挿通させて長孔１１ｃの開口部から離脱させることができる。
【００３５】
［利点］
当該ゴルフマーカ保持クリップ１０においても、人差し指と親指とで天板Ｍａと脚部Ｍｂの先端とを挟持して、或いは、親指等を天板Ｍａに掛けて押圧し、長孔１１ｃの開口部に向けてスライドさせることでゴルフマーカＭの離脱を容易に行うことができる。また、ゴルフマーカＭの脚部Ｍｂを保持孔３に挿入して係止する場合においても、ゴルフマーカ保持クリップ１０は長孔１１ｃ及び連通溝４を有するので、目視等により保持孔３の位置を確認等することなく、ゴルフマーカ保持クリップ１０の長孔１１ｃ付近に脚部Ｍｂを当てがい、ゴルフマーカ保持クリップ１０の中心に向けてスライドさせる、つまり保持孔３に向けて押圧することで脚部Ｍｂが保持孔３に導入されるため、ゴルフマーカＭを容易に保持することができる。
【００３６】
弾性片２が、保持孔３から天面１１ｂの外縁に向けて形成された複数のスリットを有するのが好ましい。保持孔３に複数のスリットが設けられることで、保持孔１が脚部Ｍｂを係止する力が分散され、ゴルフマーカＭを安定して保持することができる。
【００３７】
連通溝４及び複数のスリットが、保持孔３から放射状に配されているのが好ましい。このように、複数のスリットと連通溝４が放射状に配されることで、保持孔３が脚部Ｍｂを係止する際に、係止する力を脚部Ｍｂに対して均等にかけることができ、ゴルフマーカＭをより安定して保持することができる。
【００３８】
＜その他の実施形態＞
上記開示された実施の形態は全ての点で例示であって制限的なものではないと考えられるべきである。本発明の範囲は、上記実施形態の構成に限定されるものではなく、特許請求の範囲によって示され、特許請求の範囲と均等の意味及び範囲内での全ての変更が含まれることが意図される。
【００３９】
上記実施形態において、保持孔を備える弾性片が、連通溝を有する構成について説明したが、連通溝は幅のないスリット形状に限られず、一定の幅、例えば０．５ｍｍ幅等を有する長孔形状とすることも、本発明の意図する範囲内である。また同様に、保持孔から外縁に向けて形成された複数のスリットも、一定の幅を有する長孔形状とすることができる。
【００４０】
また、保持孔から外縁に向けて形成され、放射状に配される複数のスリットは、等間隔又は不等間隔のいずれにも、配することができる。
【００４１】
本発明の実施形態の着用物として衣類である帽子について説明したが、衣類であればこれに限られず、グラブ、シューズ、被服のポケット口や襟元等に本発明に係るゴルフマーカ保持具が備えられるのも本発明の意図する範囲である。
【００４２】
本発明の実施形態の着用物としてゴルフマーカ保持クリップについて説明したが、ゴルファーが着用するものであればこれに限られず、腰部等にかける用具入れ、鞄等に本発明に係るゴルフマーカ保持具が備えられるのも本発明の意図する範囲である。
【００４３】
また、ゴルフマーカ保持具を備えるゴルフバッグ、ゴルフクラブに係止可能なクリップ等も、本発明の意図する範囲である。
【産業上の利用可能性】
【００４４】
本発明のゴルフマーカ保持具は、ゴルフマーカの着脱が容易で、かつ確実な保持をすることができ、ゴルフマーカの携帯、使用が円滑に行え、ゴルフ競技において好適に使用される。
【符号の説明】
【００４５】
１    ゴルフマーカ保持具
２    弾性片
３    保持孔
４    連通溝
５    スリット
６    帽子
７    帽体
８    鍔部
９    長孔
１０    ゴルフマーカ保持クリップ
１１    クリップ
１１ａ    クリップ部
１１ｂ    天面
１１ｃ    長孔
Ｍ    ゴルフマーカ
Ｍａ    天板
Ｍｂ    脚部
【図１】
2018076609.tif 000003
【図２】
2018076609.tif 000004
【図３】
2018076609.tif 000005
【図４】
2018076609.tif 000006
【図５】
2018076609.tif 000007
【図６】
2018076609.tif 000008
【図７】
2018076609.tif 000009
【図８】
2018076609.tif 000010
【図９】
2018076609.tif 000011